(57)【特許請求の範囲】
【請求項１】
竪枠と竪枠間に配置した横枠とを枠組みしてなる枠体と、開閉障子とを備え、横枠は、障子の開閉軸と、竪枠のタイト材ホルダと同一面に設けたタイト材ホルダとを有し、竪枠は横枠のタイト材ホルダと間隔をおいて内周側に突出する突出部を有し、横枠のタイト材ホルダは、開閉軸と竪枠の突出部との間に位置し、横枠のタイト材ホルダと竪枠の突出部の間に荷重受け材を設けてあることを特徴とする建具。
【発明の詳細な説明】
【技術分野】
【０００１】
本発明は、内倒しサッシ等の建具に関する。
【背景技術】
【０００２】
特許文献１には、内倒しサッシ（建具）において、下枠（横枠）に、障子の開閉軸を設けると共に障子を閉じたときに障子を受けるタイト材ホルダを枠の内周側に突出して設けることが開示されている。  
【先行技術文献】
【特許文献】
【０００３】
【特許文献１】特開２００９−２９９３９９号公報
【発明の概要】
【発明が解決しようとする課題】
【０００４】
しかし、タイト材ホルダが内周側に突出してある建具では、障子を閉じるときに障子が当たる力や障子が閉じているときの風圧を受けてタイト材ホルダが変形し易い。特に、障子の開閉軸が横枠に一体に設けてある建具では、障子が開き状態にあるときに、竪枠が障子支持アームから受ける荷重と、開閉軸が障子から受ける荷重とにより、竪枠と横枠の接合部に捩じれる方向の荷重がかかることから、接合部やタイト材ホルダに変形が生じるおそれがあった。
【０００５】
そこで、本発明は、竪枠と横枠との接合部やタイト材ホルダの変形を防止できる建具の提供を目的とする。
【課題を解決するための手段】
【０００６】
請求項１に記載の発明は、竪枠と竪枠間に配置した横枠とを枠組みしてなる枠体と、開閉障子とを備え、横枠は、障子の開閉軸と、竪枠のタイト材ホルダと同一面に設けたタイト材ホルダとを有し、竪枠は横枠のタイト材ホルダと間隔をおいて内周側に突出する突出部を有し、横枠のタイト材ホルダは、開閉軸と竪枠の突出部との間に位置し、横枠のタイト材ホルダと竪枠の突出部の間に荷重受け材を設けてあることを特徴とする建具である。
【発明の効果】
【０００７】
請求項１に記載の発明によれば、枠体に対して障子を閉じる時の衝撃や閉じた状態の障子に風圧がかかったときに、横枠のタイト材ホルダが受ける荷重を荷重受け材を介して竪枠で受けるから、タイト材ホルダの変形を防止できる。また、横枠のタイト材ホルダ及び開閉軸が受ける力を、荷重受け材を介して竪枠で受けるので横枠と竪枠の接合部に作用する捩じれる方向の荷重を低減し、接合部の変形を防止できる。
【図面の簡単な説明】
【０００８】
【図１】本発明の実施の形態にかかる建具であって枠体部分を抜き出して示す図であり、（ａ）は枠体の下枠側を示す横断面図、（ｂ）は枠体の縦枠側を示す縦断面図である。
【図２】本実施の形態にかかる建具であって、障子を開いた状態を示す縦断面図である。
【図３】荷重受け材の図であり、（ａ）は正面図、（ｂ）は左側面図、（ｃ）は右側面図、（ｄ）は平面図、（ｅ）は背面図、（ｆ）は斜視図である。
【図４】本実施の形態にかかる建具であって、障子を閉じた状態の縦断図である。
【図５】本実施の形態にかかる建具であって、障子を閉じた状態の横断図である。
【図６】本発明の変形例にかかる建具であって、縦枠及びその周囲部分を示す横断面図である。
【発明を実施するための形態】
【０００９】
以下に、添付図面の図１〜図５を参照して本発明の実施の形態を説明する。  
本発明の実施の形態にかかる建具１は、図２及び図４に示すように、内倒しサッシであり、枠体３と障子（開閉障子）５とを備え、障子５は上端を室内側に倒して開閉するものである。  
図４及び図５に示すように、枠体３は、左右の竪枠７、７と、左右の竪枠７、７間に配置した下枠９（横枠）と上枠１１とで枠組みしてある。  
【００１０】
図１、図２及び図４に示すように、下枠９には、障子の開閉軸１３と、開閉軸１３の室外側に設けた下タイト材ホルダ１５とが枠体３の内周側に突設した立ち上がり部の内周側端部に設けてある。下タイト材ホルダ１５には、室内側にタイト材１７を保持するタイト材保持溝１５ａが形成してある。図１（ａ）に示すように、下タイト材ホルダ１５は、左右の竪枠７、７の各内周側見込面７ａ、７ａ間に配置している。  
図４及び図５に示すように、左右の竪枠７、７及び上枠１１には、下枠９のタイト材ホルダ１５と対応する位置に各々タイト材ホルダ１９が設けてあり、各タイト材ホルダ１９には、タイト材２１が取り付けてあり、下枠９のタイト材１７と共に枠体３の内周に止水ラインを形成している。  
【００１１】
図１（ｂ）に示すように、本実施の形態では、下枠９は、下枠本体９ａとこれと別体の下枠補助材９ｂとで構成してあり、開閉軸１３と下タイト材ホルダ１５とは、下枠補助材９ｂに形成してある。下枠補助材９ｂには、開閉軸１３の下方に突設する取付け部２５が設けてあり、下枠本体９ａの室外側見付け壁９ｃに室外側から止めるねじ２７で下枠本体９ａの室外側見付け壁９ｃに固定してある。  
下枠補助材９ｂには、加熱発泡耐火材を取付けできる耐火材ホルダ２８が設けてあり、耐火材ホルダ２８は、障子５を閉じた状態における障子５の下框５ａに対向してある。
【００１２】
図５に示すように、左竪枠（室内側から見て左）７と障子５の左竪框５ｂの間及び右竪枠７と障子５の右竪框５ｂとの間には、各々枠体３に対して障子５を支持するリンク機構２９が設けてあり、リンク機構２９は、図２及び図５に示すように、障子５の閉じ位置と開き位置で竪枠７に対して障子５を支持している。  
図５に示すように、左右の竪枠７、７には、リンク機構２９を取付けた突出部３１が形成してあり、突出部３１は、枠体３の内周側に突出した中空部である。図１（ａ）に示すように、各竪枠７において、突出部３１と、下タイト材ホルダ１５との間には空間部３３が形成してある。また、突出部３１にはその室内側壁に空間部３３に向けて突出する突部３１ａが形成してある。  
【００１３】
図１及び図５に示すように、左右の各竪枠７には、突出部３１と下タイト材ホルダ１５との間の空間部３３に荷重受け材３５が設けてある。荷重受け材３５は、樹脂材製である。  
図３（ｃ）に示すように、荷重受け材３５は対象軸Ｙについて線対称の形状であり、図１及び図３に示すように、竪枠突出部当接部３５ａと、これと反対の面に設けた一方のタイト材ホルダ当接部３５ｂ及び他方のタイト材ホルダ当接部３５ｃを有している。  
一方のタイト材ホルダ当接部３５ｂは、荷重受け材３５を右竪枠（室内側から見て右）７に装着した場合には、図３（ｆ）では上側にあり、図１（ｂ）に示すように下タイト材ホルダ１５の室外側面に当接すると共に一方のタイト材ホルダ当接部３５ｂと他方のタイト材当接部３５ｃで耐火材ホルダ２８を挟持する。また、図５に示すように、左竪枠（室内側から見て左）７に装着した場合ではその下側にある他方のタイト材ホルダ当接部３５ｃが上になって右竪枠７の突出部３１に当接すると共に一方のタイト材ホルダ当接部３５ｂと他方のタイト材当接部３５ｃで耐火材ホルダ２８を挟持する。  
図３に示すように、一方のタイト材ホルダ当接部３５ｂと他方のタイト材ホルダ当接部３５ｃとの間には、肉厚を薄くして弾性変形自在な弾性変形自在部３５ｄが設けてある。  
弾性変形自在部３５ｄの竪枠突出部当接部３５ａ側の面には、竪枠７の突出部３１に設けてある突部３１ａに係合する係合部３５ｅが突設してある。  
係合部３５ｅには、竪枠突出部当接部３５ａ側ほど突出高さを高くした傾斜面部３５ｆが形成してある。この傾斜面部３５ｆの突出高さが低い側の面が、竪枠７の突出部３１と下タイト材ホルダ１５との間に挿入するときの挿入側面部３５ｇである。  
【００１４】
次に、荷重受け材３５の装着について説明する。  
枠体３に障子５を取付け前又は枠体３に障子５を取付けた後に障子５を開いた状態で、荷重受け部材３５を左右の各竪枠７の突出部３１と下タイト材ホルダ１５との間の空間部３３に装着するが、装着は以下のようにして行う。  
まず、図１（ａ）に示すように、右竪枠（室内側から見て右）７において、竪枠７の内周側から、荷重受け部材３５の挿入側面部３５ｇを右竪枠７側に向け、耐火材ホルダ２８を一方のタイト材ホルダ当接部３５ｂと他方のタイト材ホルダ当接部３５ｃとで挟み、そのまま耐火材ホルダ２８を右竪枠７側へスライドさせて、空間部３３へ押し込む。  
このとき、荷重受け材３５の係合部３５ｅでは、その傾斜面部３５ｆが突出部３１の突部３１ａに当接しつつ押し込まれ、弾性変形自在部３５ｄが弾性変形しつつ傾斜面部３５ｆが突部３１ａを乗り越えると、弾性変形自在部３５ｄが弾性復帰して、係合部３５ｅが突部３１ａに係合する。これにより、荷重受け材３５の右竪枠７への装着が完了する。  
荷重受け材３５が竪枠７に装着した状態では、竪枠突出部当接部３５ａが竪枠７の突出部３１において室内側面部に当接し、図１（ｂ）に示すように、一方のタイト材ホルダ当接部３５ｂが下タイト材ホルダ１５の室外側面に当接する。  
【００１５】
次に、第１実施の形態にかかる建具１の作用及び効果について説明する。  
第１実施の形態にかかる建具１によれば、枠体３に対して障子５を閉じる時の衝撃や閉じた状態の障子５に風圧（負圧）がかかったときに、下枠９の下タイト材ホルダ１５が受ける荷重Ｆ１（図１（ｂ）参照）を、図１（ｂ）示すように、荷重受け材３５を介して竪枠７、７で受けるから、タイト材ホルダ１５の変形を防止できる。また、下枠９の下タイト材ホルダ１５及び開閉軸１３が受ける荷重Ｆ１を、荷重受け材３５を介して竪枠７、７で受けるので下枠９と竪枠７の接合部に作用する捩じれる方向の荷重を低減し、竪枠７と下枠９の接合部の変形を防止できる。  
【００１６】
図２に示すように、障子５を開いた状態においては、障子５はリンク機構２９により竪枠７、７で荷重を受けると共に、開閉軸１３にも障子５の反力（荷重）Ｆ２を受ける。この開閉軸１３にかかる反力Ｆ２は、上述した荷重Ｆ１と同様に、荷重受け材３５を介して竪枠７、７で受けるから、下枠９の変形を防止できる。また、下枠９の開閉軸１３が受ける反力Ｆ２を、荷重受け材３５を介して竪枠７、７で受けるので下枠９と竪枠７の接合部に作用する捩じれる方向の荷重を低減し、竪枠７と下枠９の接合部の変形を防止できる。  
【００１７】
図１（ａ）に示すように、荷重受け材３５は、下枠９の下タイト材ホルダ１５の長手方向から下枠９の下タイト材ホルダ１５と竪枠７の突出部３１との間に差し込んで取り付けているので、荷重受け材３５を押し込むだけで簡単に取付けでき、施工が容易である。
荷重受け材３５は、竪枠７の突出部３１と下枠９の下タイト材ホルダ１５との間に差し込むことで、弾性変形自在部３５ｄ（図３（ｆ）参照）が変形しながら押し込まれて、弾性変形自在部３５ｄが復帰することで係合部３５ｅが竪枠７の突出部３１の突部３１ａに係合するから、竪枠７からの脱落を防止できる。  
図３（ｃ）に示すように、荷重受け材３５には、一方のタイト材ホルダ当接部３５ｂ及び他方のタイト材ホルダ当接部３５ｃが対象軸Ｙに対して線対象に設けてあるから、図３（ｃ）に示す状態から上下反転して用いることで、図５に示すように、左右の縦枠７、７に、同種の荷重受け材３５を兼用して用いることができる。  
図１に示すように、一方のタイト材ホルダ当接部３５ｂ又は他方のタイト材ホルダ当接部３５ｃが下タイト材ホルダ１５に当接してその位置を保持するから、下枠のタイト材１７と竪枠７、７のタイト材２１の見込方向の位置ずれを防止できる。また、荷重受け材３５は、一方のタイト材ホルダ当接部３５ｂが下タイト材ホルダ１５に直接当接して下タイト材ホルダ１５を受けるから、下タイト材ホルダ１５の変形を防止できる。  
下タイト材ホルダ１５には、加熱発泡耐火材を取り付け可能な耐火材ホルダ２８が形成してあるから、耐火材ホルダ２８に加熱発泡耐火材を取付けることで、耐火用建具として用いることができる。  
下枠９は、下枠本体９ａに、下タイト材ホルダ１５と開閉軸１３を設けた下枠補助材９ｂを取り付けて、内倒し窓用下枠を構成しているので、下枠本体９ａを他の窓種に兼用できる。  
荷重受け材３５を下枠補助材９ｂと竪枠７の突出部３１との間に介在させて設けることで、下枠補助材９ｂにかかる荷重を竪枠７に分散させることができ、下枠９の強度を向上できる。  
【００１８】
本発明は、上述した実施の形態に限らず、本発明の要旨を逸脱しない範囲で種々変形可能である。  
例えば、図６に示すように、連窓の場合には、竪枠７は方立であり、竪枠７の中空部を突出部３１としてあり、突出部３１の室内側に間隔をあけて左右に突部３１ａ、３１ａを設け、竪枠７の突出部３１にはその左右に荷重受け材３５、３５を取付けるものであっても良い。  
建具１は、内倒しサッシに限らず、横枠に障子の開閉軸とタイト材ホルダを有するものであれば、外倒しサッシや、突き出しサッシ等であっても良く、突き出しサッシの場合には横枠は上枠となる。  
【符号の説明】
【００１９】
１    建具
３    枠体
５    障子（開閉障子）
７    竪枠
９    下枠（横枠）
１３  開閉軸
１５  下タイト材ホルダ（タイト材ホルダ）
３１  突出部
３５  荷重受け材
【図１】
0006438771.tif 000002
【図２】
0006438771.tif 000003
【図３】
0006438771.tif 000004
【図４】
0006438771.tif 000005
【図５】
0006438771.tif 000006
【図６】
0006438771.tif 000007